(57)【要約】【課題】外壁面材等の取付け部材を、透湿性、耐防火性等を備えた無機繊維系断熱材を介して、下地にしっかりとしかも容易に取り付けることができるようにすること。【解決手段】無機繊維系断熱材４の密度が１００Ｋｇ／ｍ3以上に設定され、取付け部材１，６が該無機繊維系断熱材４を間隔保持スペーサー無しで挟み込んで下地２に締結されている。【選択図】      図１
2005282191.tif 000002
【特許請求の範囲】
【請求項１】
取付け部材と、該取付け部材を取り付ける下地との間に無機繊維系断熱材が介設され、取付け部材が、該断熱材を介して下地に締結された、無機繊維系断熱材を介した取付け部材の取付け構造であって、
前記無機繊維系断熱材の密度が１００Ｋｇ／ｍ3以上に設定され、取付け部材が該無機繊維系断熱材を間隔保持スペーサー無しで挟み込んで下地に締結されていることを特徴とする、無機繊維系断熱材を介した取付け部材の取付け構造。
【請求項２】
前記無機繊維系断熱材に含まれる樹脂量が重量割合で１．５〜２０％の範囲において設定されている請求項１に記載の、無機繊維系断熱材を介した取付け部材の取付け構造。
【請求項３】
前記取付け部材が、外壁面材及び／又は胴縁材からなり、外壁面材と前記断熱材との間に通気層が備えられている請求項１に記載の、無機繊維系断熱材を介した取付け部材の取付け構造。
【請求項４】
密度が１００Ｋｇ／ｍ3以上に設定されていることを特徴とする挟込み用の無機繊維系断熱材。
【発明の詳細な説明】
【技術分野】
【０００１】
本発明は、無機繊維系断熱材を介した外壁面材等の取付け部材の取付け構造及び挟込み用の無機繊維系断熱材に関する。
【背景技術】
【０００２】
例えば建物において、図２に示すように、窯業系などの外壁面材５１を、発泡樹脂断熱材や無機繊維系断熱材５２を介して、パネルフレームなどの下地５３にビス５４で取り付ける場合に、外壁面材５１をそのままビス５４で下地５３に取り付けたのでは、断熱材５２の柔軟性によってしっかりとした取付け状態を形成するのが困難であることから、図２（ロ）に示すような間隔保持用のピース物の筒状スペーサー５５を用い、図２（イ）に示すように、該スペーサー５５を挟み込み、スペーサー５５を貫通するようにしてビス５４を打ち、外壁面材５１を取り付けることとしている。なお、５６は胴縁であり、断熱材５２と外壁面材５１との間に通気層５７が形成されている。
【発明の開示】
【発明が解決しようとする課題】
【０００３】
しかしながら、スペーサー５５を使用する場合には、断熱材５２にスペーサー設置用の孔５８を明けなければならないし、その孔５８にスペーサー５５を設置しなければならないし、外壁面材５１の取付けにおいて、そのスペーサー５５は隠れてしまうためスペーサー５５の位置を予め特定した上でビス５４を打たなければならず、外壁面材５１の取付けが非常に厄介であるという問題があった。
【０００４】
また、断熱材５２が発泡樹脂断熱材である場合には、屋内の湿気を断熱材５２を通じて通気層５７に逃がすのが難しく、また、耐防火性の点などで無機繊維系断熱材より不利であるという問題がある。
【０００５】
本発明は、上記のような問題点に鑑み、外壁面材等の取付け部材を、透湿性、耐防火性等を備えた無機繊維系断熱材を介して、下地にしっかりとしかも容易に取り付けることができるようにすることを課題とする。
【課題を解決するための手段】
【０００６】
上記の課題は、取付け部材と、該取付け部材を取り付ける下地との間に無機繊維系断熱材が介設され、取付け部材が、該断熱材を介して下地に締結された、無機繊維系断熱材を介した取付け部材の取付け構造であって、
前記無機繊維系断熱材の密度が１００Ｋｇ／ｍ3の以上に設定され、取付け部材が該無機繊維系断熱材を間隔保持スペーサー無しで挟み込んで下地に締結されていることを特徴とする、無機繊維系断熱材を介した取付け部材の取付け構造によって解決される（第１発明）。
【０００７】
この構造では、断熱材が無機繊維系断熱材からなっているので、断熱性はもとより、透湿性、耐防火性等を確保することができる。しかも、この無機繊維系断熱材は、密度が１００Ｋｇ／ｍ3以上に設定されているので、それ自体で充分な強度を備え、無機繊維系断熱材を間隔保持スペーサー無しで取付け部材と下地との間に配置し、取付け部材を下地に締結しても、取付け部材は無機繊維系断熱材にしっかりと支えられ、しっかりとした取付け状態を得ることができ、そして、スペーサーを排除することで取付け部材の取付けを容易に行っていくことができる。また、無機繊維系断熱材は、発泡樹脂断熱材のように経年的にやせを生じることもなく、永年にわたってしっかりとした取付け状態を維持することができる。
【０００８】
また、上記の課題は、密度が１００Ｋｇ／ｍ3以上に設定されていることを特徴とする挟込み用の無機繊維系断熱材（第２発明）によって、同様に解決される。
【０００９】
なお、無機繊維系断熱材の密度は、充分な断熱性と透湿性を確保するため、５００Ｋｇ／ｍ3以下に抑えられているのが好ましい。
【００１０】
また、上記の取付け構造や無機繊維系断熱材において、無機繊維系断熱材に含ませる樹脂量は、重量割合で１．５〜２０％の範囲において設定されているのが好ましい（第３発明）。１．５％以上にすることによって無機繊維系断熱材の強度を充分に高くすることができ、密度が１００Ｋｇ／ｍ3以上の無機繊維系断熱材の製造を容易に行うことができる。また、２０％以下に抑えることによって、耐防火性を確保することができる。
【００１１】
更に、上記の取付け構造において、取付け部材が、外壁面材及び／又は胴縁材からなり、外壁面材と前記断熱材との間に通気層が備えられている場合（第４発明）は、外壁面材や胴縁材の取付け状態をしっかりとしたものにすることができると共に、スペーサーを排除して外壁面材や胴縁の取付けを施工容易に行うことができ、しかも、屋内の湿気を断熱材を通じて通気層に逃がすことができる。
【発明の効果】
【００１２】
本発明は、以上のとおりのものであるから、外壁面材等の取付け部材を、透湿性、耐防火性等を備えた無機繊維系断熱材を介して、下地にしっかりとしかも容易に取り付けることができる。
【発明を実施するための最良の形態】
【００１３】
次に、本発明の実施最良形態を図面に基づいて説明する。
【００１４】
図１に示す実施形態の取付け構造は、窯業系などの外壁面材１を、下地としての構造体である鋼製パネルフレーム２にビス３で締結して取り付ける場合のもので、無機繊維系断熱材４は、外壁面材１とパネルフレーム２との間に介設されて外断熱構造を形成している。また、無機繊維系断熱材４と外壁面材１との間には、それらの間に通気層５を形成するため、胴縁材としての縦胴縁６が介設されており、ビス３は縦胴縁６も貫通して、外壁面材１と縦胴縁６が、本発明における取付け部材を構成している。
【００１５】
そして、上記の無機繊維系断熱材４は、例えばグラスウールからなっていて、密度が例えば２５０Ｋｇ／ｍ3、含まれる樹脂が重量割合で例えば１０％に設定されており、外壁面材１と縦胴縁６とが、パネルフレーム２との間に無機繊維系断熱材４をスペーサー無しで挟み込んで、パネルフレーム２にビス３で締結されている。
【００１６】
上記の取付け構造では、無機繊維系断熱材４がそれ自体で充分な強度を備え、そのため、スペーサー無しで外壁面材１と縦胴縁６をパネルフレーム２にビス３で締結しても、外壁面材１と縦胴縁６は無機繊維系断熱材４にしっかりと支えられ、しっかりとした取付け状態を形成することができ、しかも、スペーサーの排除によって、外壁面材１と縦胴縁６の取付けを施工容易に行っていくことができる。特に、無機繊維系断熱材４は、発泡樹脂断熱材のように経年的にやせを生じることもなく、永年にわたってしっかりとした取付け状態を維持することができる。そして、断熱材４が上記のような無機繊維系断熱材であることにより、断熱性はもとより、透湿性を確保することができて、屋内の湿気を断熱材４を通じて通気層５に逃がすことができ、また、耐防火性等にも優れる。
【００１７】
以上に、本発明の実施形態を示したが、本発明はこれに限られるものではなく、発明思想を逸脱しない範囲で各種の変更が可能である。例えば、上記の実施形態では、外壁面材１と縦胴縁６の両方を取付け部材とした場合を示しているが、無機繊維系断熱材に胴縁部分が一体成形されているような場合は、胴縁材を省略して外壁面材と下地との間に無機繊維系断熱材を介設して外壁面材を下地に締結するようにしてもよいし、外壁面材を胴縁材に取り付けるような場合は、胴縁材と下地との間に無機繊維系断熱材を介設して胴縁材を下地に締結するようにしてもよい。
【００１８】
また、取付けは、ビスに限られるものではなくも、外壁面材や胴縁材等の取付け部材と、下地との間に無機繊維系断熱材を締め付け状態に挟み込むような締結がなされたものであればよい。また、上記のような鉄骨造建物の場合に限らず、木造建物に用いることも可能である。また、無機繊維系断熱材はロックウールなどであってもよい。更に、第１〜第３発明は、建築分野に限らず、各種産業分野において用いることができるものである。
【図面の簡単な説明】
【００１９】
【図１】実施形態の取付け構造を示すもので、図（イ）は締結前の断面平面図、図（ロ）は締結後の断面平面図である。
【図２】従来例を示すもので、図（イ）は取付け構造の断面平面図、図（ロ）はスペーサーの斜視図である。
【符号の説明】
【００２０】
１…外壁面材（取付け部材）
２…パネルフレーム（下地）
３…ビス（締結部材）
４…無機繊維系断熱材
５…通気層
６…縦胴縁（胴縁材）
【図１】
2005282191.tif 000003
【図２】
2005282191.tif 000004